(57)【要約】【課題】テナントの変更に容易に対応可能でまた信頼性の高い機械警備システムを得る。【解決手段】建物内の所定エリアの侵入監視を行う侵入監視手段Ｓ１ａ、侵入監視手段の監視開始設定を委託された人と監視終了設定を委託された人がＩＤにより登録される設定委託者ＩＤ登録手段２４、建物へ来る人に侵入監視状態を表示する表示手段１６、建物へ来た人によりＩＤが入力されるＩＤ入力手段ＴＥＬ１、入力されたＩＤから個人認証を行うＩＤ判別手段２１、個人認証結果に従って、設定委託者ＩＤ登録手段の登録ＩＤに基づき、監視開始設定を委託された人であれば侵入監視手段の侵入監視開始の設定、監視終了設定を委託された人であれば侵入監視手段の侵入監視終了の設定を行う侵入監視開始／終了設定手段２１、侵入監視中に侵入監視手段が侵入を感知した時に自動通報する通報手段２１，４１，４２、を備えた。また監視開始設定と終了設定を委託する人を別にした。【選択図】図３
2006092108.tif 000002
【特許請求の範囲】
【請求項１】
建物内の所定エリアの侵入監視を行う侵入監視手段と、
上記侵入監視手段の監視開始設定を委託された人と上記侵入監視手段の監視終了設定を委託された人がＩＤにより登録される設定委託者ＩＤ登録手段と、
上記建物へ来る人に侵入監視状態を表示する表示手段と、
上記建物へ来た人によりＩＤが入力されるＩＤ入力手段と、
入力されたＩＤから個人認証を行うＩＤ判別手段と、
個人認証結果に従って、上記設定委託者ＩＤ登録手段の登録ＩＤに基づき、監視開始設定を委託された人であれば上記侵入監視手段の侵入監視開始の設定、監視終了設定を委託された人であれば上記侵入監視手段の侵入監視終了の設定を行う侵入監視開始／終了設定手段と、
侵入監視中に上記侵入監視手段が侵入を感知した時に自動通報する通報手段と、
を備えたことを特徴とする機械警備システム。
【請求項２】
電話機能を有する警備制御装置が公衆回線に接続されると共に上記設定委託者ＩＤ登録手段、ＩＤ判別手段、侵入監視開始／終了設定手段および通報手段を設け、上記ＩＤ入力手段が移動電話を使用したものであることを特徴とする請求項１に記載の機械警備システム。
【請求項３】
上記ＩＤを移動電話番号としたことを特徴とする請求項２に記載の機械警備システム。
【請求項４】
上記建物内の各テナントエリアをそれぞれ独立に侵入監視するものであり、上記設定委託者ＩＤ登録手段に、該テナントエリアの遅番の出勤者を監視開始設定を委託された人として登録し、該テナントエリアの早番の出勤者を監視終了設定を委託された人として登録することを特徴とする請求項１ないし３のいずれか１項に記載の機械警備システム。
【請求項５】
上記設定委託者ＩＤ登録手段において、上記テナントエリアの管理者を、監視開始設定を委託された人と監視終了設定を委託れた人の両方に登録することを特徴とする請求項４に記載の機械警備システム。
【請求項６】
上記設定委託者ＩＤ登録手段として、インターネット上に監視開始／終了設定が委託された人のＩＤが登録されたホームページを作成し、管理者が上記公衆回線を介してインターネット端末から上記ホームページへ監視開始／終了設定を委託された人の登録、変更を行い、上記警備制御装置がインターネット機能も有し、上記侵入監視開始／終了設定手段が上記ホームページ上の登録に従って侵入監視開始／終了設定を行うことを特徴とする請求項２ないし５のいずれか１項に記載の機械警備システム。
【請求項７】
上記設定委託者ＩＤ登録手段が、監視開始および終了の設定を許可する時間帯を限定する設定時間帯情報も含み、上記侵入監視開始／終了設定手段が、上記設定時間帯情報の時間帯内においてのみ侵入監視開始、終了の設定を行うことを特徴とする請求項１ないし６のいずれか１項に記載の機械警備システム。
【請求項８】
警備対象の建物の警備制御を行うためのインターネット機能を有する警備制御装置が公衆回線に接続された機械警備システムであって、
建物内の所定エリアの侵入監視を行う侵入監視手段と、
上記建物へ来る人に侵入監視状態を表示する表示手段と、
侵入監視中に上記侵入監視手段が侵入を感知した時に自動通報する通報手段と、
上記侵入監視手段の監視開始設定又は監視終了設定のために上記公衆回線上のインターネット上に作成されたホームページであって、上記侵入監視手段の監視開始設定を委託された人と上記侵入監視手段の監視終了設定を委託された人がＩＤにより登録される設定委託者ＩＤ登録手段、入力されたＩＤから個人認証を行うＩＤ判別手段、個人認証結果に従って、上記設定委託者ＩＤ登録手段の登録ＩＤに基づき、上記侵入監視手段の監視開始設定および監視終了設定のそれぞれの許可を行う侵入監視開始／終了設定許可手段を含むものと、
上記建物へ来た人が上記公衆回線を介して上記ホームページに対してＩＤを入力し上記監視開始設定又は終了の許可をうるためのインターネット機能を有する少なくとも１つの移動電話と、
上記エリアの管理者が上記公衆回線を介して上記ホームページの上記設定委託者ＩＤ登録手段に登録されたＩＤを変更するためのインターネット端末と、
上記ホームページの侵入監視開始／終了設定許可手段の許可に従って上記侵入監視手段の侵入監視開始／終了の設定を行う侵入監視開始／終了設定実行手段と、
を備えたことを特徴とする機械警備システム。
【請求項９】
上記侵入監視手段の監視開始設定を委託された人と監視終了設定を委託された人がそれぞれ別の人であることを特徴とする請求項１ないし８のいずれか１項に記載の機械警備システム。
【発明の詳細な説明】
【技術分野】
【０００１】
この発明は、侵入監視センサ等により建物内の複数のテナントを警備する機械警備システム、特にＩＤ判別装置を使用した侵入監視の開始と終了の設定に関する。
【背景技術】
【０００２】
従来、利用者固有の固有情報が記憶されている記憶媒体を用いてＩＤ判別装置を動作させ、複数のテナントの施解錠を行うと共に、施錠中は侵入監視を行う機械警備システムにおいて、各テナントに対応する各記憶媒体から固有情報を読み取る単一の情報読取り装置と、情報読取り装置で任意の記憶媒体から固有情報を読み取る際に当該記憶媒体に対応するテナントの状態を、一時的に表示する共通表示装置と、各テナントの状態をテナント毎に表示する個別表示装置とを具備するものがある(例えば特許文献１参照)。
【０００３】
【特許文献１】特開平３−５１９９５号公報
【発明の開示】
【発明が解決しようとする課題】
【０００４】
このような記憶媒体等でＩＤ判別装置を動作させ、扉の施解錠や侵入センサのオン／オフを行うシステムにおいては、扉の施錠や侵入監視開始の設定と、扉の解錠や侵入監視終了の設定を同一人物が行うようにすると、例えば一瞬の間、施錠や侵入監視を開放して悪いことをした後、元の状態に戻せば、不正行為が容易に行われてしまうという課題があった。
【０００５】
また、近年、スーパーマーケットの専門店エリア(テナントエリア)や専門店専用(テナント専用)の建物内の各テナントは、各々該当テナントエリアに仕切りや壁がないために、機械警備用のＩＤ判別装置であるカードリーダが付近に設置できず、客の目に付かない裏方(階段等)に設置してある。しかしこのような配置位置で例えば閉店時に侵入監視開始の設定を行う場合、該当テナントエリアからカードリーダ設置場所まで行くまでの間、侵入監視のデッドタイムが生じる。また、むりやりテナントの該当エリア内の隠れた所にカードリーダを設置すると、カードリーダの数が増えるだけでなく、テナントが変わる(古いテナントが店仕舞いをして新しいテナントが新規開店する)時等にテナントエリアのスペースの変更が生じることが多く、その度にカードリーダの数や配置位置が変更になるため、機器の費用や工事費がかさむという問題がある。
【０００６】
この発明は、テナントの変更等に容易に対応可能で、また不正行為をより困難にすることでより信頼性の高い侵入監視が行える機械警備システムを提供することを目的とする。
【課題を解決するための手段】
【０００７】
この発明は、建物内の所定エリアの侵入監視を行う侵入監視手段と、上記侵入監視手段の監視開始設定を委託された人と上記侵入監視手段の監視終了設定を委託された人がＩＤにより登録される設定委託者ＩＤ登録手段と、上記建物へ来る人に侵入監視状態を表示する表示手段と、上記建物へ来た人によりＩＤが入力されるＩＤ入力手段と、入力されたＩＤから個人認証を行うＩＤ判別手段と、個人認証結果に従って、上記設定委託者ＩＤ登録手段の登録ＩＤに基づき、監視開始設定を委託された人であれば上記侵入監視手段の侵入監視開始の設定、監視終了設定を委託された人であれば上記侵入監視手段の侵入監視終了の設定を行う侵入監視開始／終了設定手段と、侵入監視中に上記侵入監視手段が侵入を感知した時に自動通報する通報手段と、を備えたことを特徴とする機械警備システムにある。また、上記侵入監視手段の監視開始設定を委託された人と監視終了設定を委託された人をそれぞれ別の人とした。
【発明の効果】
【０００８】
この発明では、対象侵入監視エリアの変更等に容易に対応可能であり、また不正行為をより困難にすることでより信頼性の高い侵入監視が行える。
【発明を実施するための最良の形態】
【０００９】
実施の形態１．
図１はこの発明の機械警備システムを設置した建物の出入口のある階(ここでは１階とする)の構成を示す。出入口１７を入って通路１５の右手には２つのテナントエリア１ａ、１ｂがある。これらのテナントエリアはオープンスペースにあり仕切りや壁がなく、テナント毎にカードリーダ等を取り付ける場所がない。そしてそれぞれ閉店後から例えば次の日の開店前までの間の侵入監視時には赤外線パッシブセンサ等からなる侵入監視センサＳ１ａ、Ｓ１ｂが設けられ、通路１５や他のテナントエリアからの人の侵入等を感知する。通路１５の左手には、物置(管理室等)１４、エレベータ１３、トイレ１２、階段１１等があり、さらに出入口１７のある階には後述するそれぞれのテナントエリアが侵入監視状態にあるか否かを表示するための液晶ディスプレイ等からなる表示装置１６が設けられている。また図２は出入口のある階以外の階(Ｎ階)の構成を示す。物置１４(この発明とは特に関係なし)および表示装置１６がない以外は図１のものと同じである。そして同様に例えば２つのテナントエリアＮａ、Ｎｂ(以下テナントＮａ、Ｎｂとも記載)があり、侵入監視センサＳＮａ、ＳＮｂがそれぞれ設けられている。なお、出入口１７の扉は例えばタイマ等により所定の時間で施解錠される。
【００１０】
図３はこの発明の一実施の形態による機械警備システムの構成を示す図である。警備制御装置２０はこの発明の機械警備システムの制御を行うもので、図１、図２に示す建物内のどこかに設けられているのが一般的であるが、以下の制御が行える場所であればこの建物以外の場所に設置されていてもよい。本体２１はコンピュータからなる実際の警備制御を行うもので、これに各テナントエリア１ａ〜Ｎｂのテナント毎のホームページを内蔵したサーバ２４、マウスやキーボードからなる入力部２５、液晶画面等からなる表示部２６が接続されている。本体２１にはさらに、センサ用インターフェース２２を介して外部の各テナントエリア１ａ〜Ｎｂの侵入監視センサＳ１ａ〜ＳＮｂが接続され、また表示用インターフェース２７を介して図１に示す表示装置１６が接続されている。本体２１はまた公衆回線用インターフェース２３を介して公衆回線３０に接続されている。本体２１は電話機能およびインターネット機能を備え、公衆回線用インターフェース２３もこれらに対応する機能を備える。そして移動電話である例えば携帯電話ＴＥＬ１、ＴＥＬ２、ＴＥＬ３、・・・は各テナントの店員の携帯電話、インターネット端末４１、４２は各テナントの管理者および警備センタや外部警備会社等の警備部門の携帯電話又は携帯電話機能およびインターネット機能を有するコンピュータからなるインターネット端末４１、４２である。
【００１１】
また図４には図１および図３に示した表示装置１６の表示の一例を示す。図５の(ａ)には図３のサーバ２４内に予め作成された、テナント毎のホームページ内に設けられた店員の勤務テーブルの一例を示す。勤務テーブルには、早番、遅番に分けられた監視の開始と終了の設定を許可された店員の携帯電話番号および設定を許可するそれぞれの時間帯(設定時間帯情報)が含まれている。これは各テナントの管理者がインターネット端末４１からサーバ２４内の自分のホームページにユーザー(登録)名とパスワードによりログインして予め登録しておき、また必要に応じて変更する。早番は例えば朝の出勤時に侵入監視の終了の設定を許可(委託)された人(店員)、遅番は例えば夜の退勤時に侵入監視の開始の設定を許可(委託)された人(店員)で、それぞれの携帯電話番号がその人のＩＤ番号として登録されている。早番と遅番の双方に登録されているＮｏ.０は管理者で、各テナントにおいて管理者は侵入監視の開始と終了との両方の設定を行えるようにする。この勤務テーブルはホームページ内の、例えば各テナントの管理者だけがアクセスできるようにユーザー名やパスワード等によりセキュリティの掛けられた領域に設けられる。図５の(ｂ)には、上記ホームページ内に含まれる、該テナントエリアが営業中(侵入監視解除状態)、侵入監視中、侵入発生のいずれの状態にあるかを示すテナントエリア状態表示部分の一例を示す。テナントエリア状態表示部分は侵入監視の開始、終了の設定を行う店員が設定完了の確認をホームページでも行えるようにセキュリティをかけなくてもよい。セキュリティの掛け方はユーザー(登録)名、又はパスワードを複数種設けること等で、自由に設定可能である。なお、ホストコンピュータである警備制御装置２０の本体２１からは、サーバ２４内の全て、すなわちテナントのホームページの全領域に対して参照およびデータ変更等が可能なように構成する。但し図５の(ｂ)に示すテナントエリア状態表示部分をホームページ内に設けなければ、全テナントのホームページの全領域に対して参照のみ可能なように構成すればよい。
【００１２】
この発明では、警備制御装置２０が、サーバ２４内のテナント毎のホームページの勤務テーブルを参照して、着信した携帯電話番号が正規に登録されていれば、侵入監視の開始／終了の設定を行うものである。
【００１３】
この実施の形態では概して、例えば遅番の人が侵入監視の開示を設定し、早番の人が侵入監視の終了を設定するようにして、侵入監視の開始、終了の設定を別の人が行うようにする。また、ＩＤカードの代わりに移動電話(携帯電話、ＰＨＳ等含む)を使用し、さらにＩＤ番号を移動電話番号とする。
【００１４】
なお、侵入監視センサＳ１ａ、Ｓ１ｂ、…ＳＮａ、ＳＮｂとセンサ用インターフェース２２が侵入監視手段を構成し、サーバ２４が設定委託者ＩＤ登録手段を構成し、表示装置１６と表示用インターフェース２７が表示手段を構成し、携帯電話ＴＥＬ１、ＴＥＬ２、ＴＥＬ３、・・・がＩＤ入力手段を構成し、本体２１がＩＤ判別手段と侵入監視開始／終了設定手段とを構成し、本体２１とインターネット端末４１，４２が通報手段を構成する。
【００１５】
図６〜図７にはこの発明の機械警備システムにおける動作を説明するためのフローチャートを示し、以下これに従って動作を説明する。なおこのフローチャートには人間の動作も含まれており、機械警備システム直接関連する動作は二重枠で示す。例えばテナントエリアＮａの場合について説明すると、図６において、このテナントの管理者がインターネット端末４１から例えば警備制御装置２０のサーバ２４内の自分のホームページにアクセスし、図５の(ｂ)に示すテナントエリア状態表示部分を参照してテナントエリアＮａが営業中でないことを確認すると(ステップＳ１)、例えばユーザー名とパスワードでログインして、図５の(ａ)に示すような勤務テーブルに早番、遅番の人の携帯電話番号を登録する(ステップＳ２)。なおテナントエリアの監視の状態は建物内にいれば、表示装置１６で確認することもできる。
【００１６】
そしてテナントエリアＮａが侵入監視中にあり、例えば翌日、テナントエリアＮａの早番の人が出勤して来て１階の図４に示すような表示装置１６を見て(ステップＳ３)、自分のテナントエリアＮａが侵入監視中になっているか否かを確認し、侵入監視中であれば(ステップＳ４)、侵入監視のデッドタイムが生じないように自分のテナントエリアＮａの間近までいって自分の携帯電話ＴＥＬ１から警備制御装置２０に電話をする(ステップＳ５)。そうすると警備制御装置２０は、着信した携帯電話番号がサーバ２４内のいずれかのテナントのホームページにある勤務テーブルの早番に登録されていて、かつ現在、該勤務テーブルに指定された早番時間帯であることを確認する(ステップＳ６)。確認がとれれば、該当するテナントの侵入監視センサ、ここでは侵入監視センサＳＮａをオフにすると共に、図４に示す表示装置１６およびホームページの図５の(ｂ)に示すテナントＮａの状態をそれぞれ侵入監視中から営業中に切り替える(ステップＳ７)。ステップＳ６で確認ができなければ、表示装置１６の表示が切り替わらないため、早番の人は再度、表示装置１６の確認等が必要となる。なお早番時間帯にあるか否かの判定における現在の時間は、警備制御装置２０の本体２１が時計(図示せず)を備えており、これから得る。
【００１７】
次に図７において、閉店時刻になり(ステップＳ８)、遅番の最後の人が侵入監視のデッドタイムが生じないように自分のテナントエリアＮａから出て間近な所で自分の携帯電話ＴＥＬ２から警備制御装置２０に電話をする(ステップＳ９)。そうすると警備制御装置２０は着信した携帯電話番号がサーバ２４内のいずれかのテナントのホームページにある勤務テーブルの遅番に登録されていて、かつ現在、該勤務テーブルに指定された遅番時間帯であることを確認する(ステップＳ１０)。確認がとれれば、該当するテナントの侵入監視センサ、ここでは侵入監視センサＳＮａをオンにすると共に、図４に示す表示装置１６およびホームページの図５の(ｂ)に示すテナントＮａの状態をそれぞれ営業中から侵入監視中に切り替える(ステップＳ１１)。
【００１８】
そして、例えばテナントＮａの侵入監視センサＳＮａがテナントエリアＮａにおいて人の侵入を感知すると(ステップＳ１２)、表示装置１６およびホームページの図５の(ｂ)に示すテナントＮａの状態をそれぞれ侵入発生に切り替え(ステップＳ１３)、さらに該建物の警備センタや外部の契約警備会社等からなる警備部門およびテナントＮａの管理者に自動通報し(ステップＳ１４)、これにより係員が出動して処理を行う(ステップＳ１５)。なお自動通報は、図示しない特別な回線としてもよいし、また例えば公衆回線３０を使用して警備部門の端末４２およびテナントＮａの管理者の端末４１に電話連絡するようにしてもよい。その際の電話番号等は予め警備制御装置２０の本体２１側で格納しているものとする。一方、ステップＳ１２で侵入を感知しながら、警備制御装置２０は、サーバ２４内のいずれかのテナントのホームページにある勤務テーブルの早番に登録されている人の携帯電話番号を着信し、これが該勤務テーブルに指定された早番時間帯であれば、図６のステップＳ７に移動し、上述の営業中への切り替えを行う(ステップＳ１６)。
【００１９】
なお侵入監視の開始、終了の設定を行った人は設定の完了の確認を、例えば各侵入監視センサＳ１ａ，Ｓ１ｂ・・・ＳＮａ，ＳＮｂにオンオフ状態を示すランプを付けておき、そのランプを見て確認したり、あるいは携帯電話でホームページの図５の(ｂ)に示した部分をチェックして確認することができる。ホームページでチェックする場合には携帯電話ＴＥＬ１、ＴＥＬ２、ＴＥＬ３、・・・はインターネット機能を有するものを使用する。
【００２０】
また、図５の(ａ)に示す勤務テーブルの監視の開始、終了設定を許可するそれぞれの時間帯もインターネット端末から管理者がログインして時間設定できるようにしてもよい。
また、監視の開始、終了設定を許可する時間帯の条件をなしにしてもよい。
【００２１】
さらに上記説明では、侵入監視のデッドタイムを無くすためにどこでも監視の開始、終了の設定が行えるように携帯電話を使用しているが、従来のように建物への出入口に設けられたＩＤ判別装置等により個人認証を行って監視の開始、終了を行う場合においても、監視の開始、終了を別々の人に委託するように設定委託者を登録するようにするだけで、不正行為の防止が行える。
【００２２】
実施の形態２．
図８はこの発明の別の実施の形態による機械警備システムの構成を示す図である。上記実施の形態では、建物に来た店員がＩＤを入力する手段として携帯電話ＴＥＬ１、ＴＥＬ２、ＴＥＬ３、・・・を使用した例を示したが、携帯電話の代わりに、図８に示すように少なくとも建物内全域で無線通信が可能な無線用インターフェース２９を介して接続されたＩＤ用無線装置５１とそのＩＤ用無線子機５２を設け、店員が自分のテナントエリアの間近で子機５２からＩＤを入力して、侵入監視の開始、終了の設定を行うようにしてもよい。
【００２３】
ＩＤとしては、該店員個人を認証するために予め発行されたＩＤカードに登録されたＩＤや、指紋や網膜パターン等のバイオメトリックデータ等を使用する。図９には子機５２の一例を示す。ＩＤカードの場合は、例えばＩＤカード読み取りスロット５２ａを設け、予め発行されたＩＤカード(図示せず)を読み込ませて、またバイオメトリックデータの場合はバイオメトリック情報読み取り部５２ｂを設けて読み込ませる。従ってこの場合、サーバ２４に内蔵されたホームページの勤務テーブルには、図５の(ａ)に示す勤務テーブルの携帯電話番号の代わりに図１０の(ａ)に示すようにＩＤカードのＩＤ番号やバイオメトリックデータが登録される。また、図９の子機５２には設定の完了の確認のために表示部５２ｃを設けて、営業中、侵入監視中、侵入発生の状態を表示するようにしてもよい。その他の部分は、基本的に実施の形態１と同様である。なお、ＩＤ用無線装置５１とそのＩＤ用無線子機５２がＩＤ入力手段を構成する。
【００２４】
そして動作においては、ＩＤ用無線子機５２から入力されたＩＤ番号やバイオメトリックデータと、サーバ２４に内蔵されたホームページの勤務テーブルに登録されたＩＤ番号やバイオメトリックデータの照合を行うこと以外は、基本的な動作は同様であり、このような構成にしてもよい。
【００２５】
実施の形態３．
また、図３に示す実施の形態１の機械警備システムの構成において、サーバ２４内に内蔵されたホームページ上で侵入監視開始や終了の設定の許可を行うようにしてもよい。この場合、ホームページ内には図５の(ａ)に示す勤務テーブルの携帯電話番号の代わりに、図１１の(ａ)に示すようにログインの際に入力されるユーザー名とパスワードのうちの例えばＩＤとしてのユーザー名が登録される。そして店員の携帯電話からのログインの際のユーザー名と勤務テーブルに登録されたユーザー名との照合結果に従った設定許可をするまでの処理をホームページ上で行い、許可に従って警備制御装置２０の本体２１で侵入監視センサのＳ１ａ、Ｓ１ｂ、…ＳＮａ、ＳＮｂのオンオフ切り替えを行う。従って、侵入監視開始／終了設定手段が、侵入監視開始／終了設定許可手段と許可に従って実際に侵入監視の開始、終了の設定を実行する侵入監視開始／終了設定実行手段に分けら、ホームページ上で設定委託者ＩＤ登録、ＩＤ判別、侵入監視開始／終了設定許可までを行うようにする。その他の基本的な動作は同様であり、このような構成にしてもよい。
【００２６】
また、ログインの際に入力されるパスワードを使用する場合には、ホームページ内には図５の(ａ)に示す勤務テーブルの代わりに、図１２の(ａ)に示すように監視開始設定パスワード、監視終了設定パスワード、開始設定時間帯、終了設定時間帯を管理者が登録する。これらのパスワードは予め該当する店員に管理者が知らせておく。そしてログイン時、監視開始設定パスワードが入力され開始施低時間帯にあれば監視開始設定を許可し、監視終了設定パスワードが入力され終了設定時間帯にあれば監視終了設定を許可する。その他の基本的な動作は同様であり、このような構成にしてもよい。また上述のそれぞれ携帯電話番号、ＩＤ番号、バイオメトリックデータ、ユーザー名を使用した個人認証に、上記監視開始設定パスワード、監視終了設定パスワードの入力による判定を組み合わせてもよい。
【００２７】
なお、サーバ２４は上記と同様な動作が可能に構成されれば、警備制御装置２０内に限定されず、公衆回線３０のインターネット上のどこに設けられていてもよい。また、ホームページはテナント毎でなく１つの本システムのホームページとしてもよいが、その場合には、店員とその店員が属するテナントと該テナントのある階の関係を示すテーブルを設けるかＩＤにこれらの情報を含ませる必要がある。
【００２８】
さらに、ホームページを内蔵したサーバ２４を記憶装置としてのみ使用する場合には、サーバの代わりにメモリを設け、これにホームページに登録していた情報を記憶させてもよい。この場合、インターネット端末等からのデータの登録や変更等はできないが、相当の効果を奏する。
【００２９】
さらに、侵入監視手段である侵入監視センサＳ１ａ、Ｓ１ｂ、…ＳＮａ、ＳＮｂの監視開始設定を委託する人と監視終了設定を委託する人をそれぞれ別の人にしなくてもよく、その場合においても、テナントの変更等に容易に対応可能となる効果は得られる。
【図面の簡単な説明】
【００３０】
【図１】この発明の機械警備システムを設置した建物の出入口のある階の構成を示す図である。
【図２】この発明の機械警備システムを設置した建物の出入口のある階以外の階の構成を示す図である。
【図３】この発明の一実施の形態による機械警備システムの構成を示す図である。
【図４】図１および図３に示した表示装置の表示の一例を示す図である。
【図５】この発明の一実施の形態におけるサーバに内蔵されたホームページの内容の一例を示す図である。
【図６】この発明の一実施の形態による機械警備システムの動作を説明するためのフローチャートである。
【図７】図６に続く機械警備システムの動作を説明するためのフローチャートである。
【図８】この発明の別の実施の形態による機械警備システムの構成を示す図である。
【図９】図８の機械警備システムで使用されるＩＤ用無線子機の一例を示す図である。
【図１０】この発明の別の実施の形態におけるサーバに内蔵されたホームページの内容の一例を示す図である。
【図１１】この発明のさらに別の実施の形態におけるサーバに内蔵されたホームページの内容の一例を示す図である。
【図１２】この発明のさらに別の実施の形態におけるサーバに内蔵されたホームページの内容の一例を示す図である。
【符号の説明】
【００３１】
１ａ，１ｂ〜Ｎａ，Ｎｂ  テナントエリア(テナント)、１１  階段、１２  トイレ(等)、１３  エレベータ、１４  物置、１５  通路、１６  表示装置、１７  出入口、２０  警備制御装置、２１  本体、２２  センサ用インターフェース、２３  公衆回線用インターフェース、２４，２４ａ  サーバ(ＨＰ内蔵)、２５  入力部、２６  出力部、２７  表示用インターフェース、２９  無線用インターフェース、３０  公衆回線、４１，４２  インターネット端末、５１  ＩＤ用無線装置、５２  ＩＤ用無線子機、５２ａ  ＩＤカード読み取りスロット、５２ｂ  バイオメトリック情報読み取り部、５２ｃ  表示部。
【図１】
2006092108.tif 000003
【図２】
2006092108.tif 000004
【図３】
2006092108.tif 000005
【図４】
2006092108.tif 000006
【図５】
2006092108.tif 000007
【図６】
2006092108.tif 000008
【図７】
2006092108.tif 000009
【図８】
2006092108.tif 000010
【図９】
2006092108.tif 000011
【図１０】
2006092108.tif 000012
【図１１】
2006092108.tif 000013
【図１２】
2006092108.tif 000014